(57)【特許請求の範囲】
【請求項１】
香料を０．５〜２重量％、非イオン系界面活性剤を１〜１０重量％、一般式（１）
【化１】
0006574664.tif 000008
（式中、Ｒ１〜Ｒ４は炭素数１〜１８のアルキル基であって、Ｒ１〜Ｒ４は同一であっても異なっていてもよい。Ｘ−は対イオンであり、ハロゲンイオンまたはヒドロキシイオンである。）で表される第４級アンモニウム塩を０．１〜１重量％、および、水を含有する液状消臭剤。
【請求項２】
非イオン系界面活性剤がエーテル型またはエステル・エーテル型である請求項１に記載の液状消臭剤。
【請求項３】
香料中及び／または消臭剤中にメントールを含有する請求項１または２に記載の液状消臭剤。
【請求項４】
ポータブルトイレ用である請求項１〜３の何れかに記載の液状消臭剤。
【発明の詳細な説明】
【技術分野】
【０００１】
本発明は、液状消臭剤、特にポータブルトイレに最適な液状消臭剤に関する。
【背景技術】
【０００２】
加齢、疾病への罹患、怪我などによる身体機能の低下により、自らトイレへ移動して排泄することが困難な状況になる場合がある。そのような場合に、トイレへ移動することなく自ら排泄できるように、簡易な便器で構成され、部屋の中に設置される据え置き型のポータブルトイレが使用されている（特許文献１）。ポータブルトイレは一般的に椅子様の形状を有し、座面部に排泄用の穴が形成されており、内部に排泄物を保持できる取り外し可能な容器を備えている。そして、使用時には、当該容器内に水を張って用をたし、使用後に排泄物及び水をトイレに流して処理する。ポータブルトイレは、その性質上、部屋の中に設置され、一般のトイレと異なり、排泄物が排泄直後に処理されるとは限らないため、生活環境の向上のために排泄物を消臭する必要がある。そこで、従来の空間用消臭剤だけでは充分ではないため、容器内の水にも直接消臭剤が適用されている。
【０００３】
このような消臭剤としては、エアゾール形式の泡状消臭剤が知られている（特許文献２）。排泄物が排出される位置に予め泡沫を形成しておくことで、悪臭を遮断するものである。しかしながら、ポータブルトイレの使用者には、尿色や尿の泡立ちを確認することにより自らの健康状態を把握したいというニーズがあるものの、形成される泡沫が尿の状態を確認することを妨げ、このようなニーズに答えることができないという問題がある。
【０００４】
一方、消臭用の香料を一定量以上含有させ、該香料を可溶化するための界面活性剤が含まれた一般的な消臭剤をそのまま適用することも考えられる。しかしながら、排泄時に、含まれる界面活性剤によって溜り水に泡が生じて残存するため、同様に尿の状態を確認したいというポータブルトイレの使用者のニーズに答えることができないという問題がある。
【先行技術文献】
【特許文献】
【０００５】
【特許文献１】特開２０１５−１３４０４０号公報
【特許文献２】特開２００１−４６４８３号公報
【発明の概要】
【発明が解決しようとする課題】
【０００６】
本発明は、香料を一定量以上含有するにもかかわらず、泡立ちが少なく、かつ、泡切れが良好であって、尿色や尿の泡立ちを確認しやすいポータブルトイレ用の液状消臭剤を提供することを目的とする。
【課題を解決するための手段】
【０００７】
本発明者は、香料を可溶化させる成分について種々検討したところ、界面活性剤として非イオン系界面活性剤とともに、通常は、起泡成分としての使用が知られる特定の第４級アンモニウム塩を併用すると、可溶化が良好で泡立ちが抑制され、泡切れの良い液状の消臭剤が得られることを見出し、本発明を完成した。
【０００８】
すなわち、本発明は、香料を０．５〜２重量％、非イオン系界面活性剤を１〜１０重量％、一般式（１）
【０００９】
【化１】
0006574664.tif 000002
【００１０】
（式中、Ｒ１〜Ｒ４は炭素数１〜１８のアルキル基であって、Ｒ１〜Ｒ４は同一であっても異なっていてもよい。Ｘ−は対イオンであり、ハロゲンイオンまたはヒドロキシイオンである。）で表される第４級アンモニウム塩を０．１〜１重量％、および、水を含有する液状消臭剤に関する。
【００１１】
非イオン系界面活性剤が、エステル型及び／またはエステル・エーテル型であることが好ましい。
【００１２】
香料中及び／または消臭剤中に、メントール（異性体を含む）を含有することが好ましい。
【００１３】
ポータブルトイレ用であることが好ましい。
【発明の効果】
【００１４】
本発明の消臭剤は、特定量の非イオン系界面活性剤および特定の第４級アンモニウム塩を含有するため、香料を一定量以上含有するにもかかわらず、泡立ちが少なく、かつ、泡切れが良好であって、尿色や尿の泡立ちを確認しやすい液状消臭剤を提供することができる。そのため、ポータブルトイレに好適に適用することができる。
【発明を実施するための形態】
【００１５】
本発明の液状消臭剤は、香料を０．５〜２重量％、非イオン系界面活性剤を１〜１０重量％、一般式（１）
【００１６】
【化２】
0006574664.tif 000003
【００１７】
（式中、Ｒ１〜Ｒ４は炭素数１〜１８のアルキル基であって、Ｒ１〜Ｒ４は同一であっても異なっていてもよい。Ｘ−は対イオンであり、ハロゲンイオンまたはヒドロキシイオンである。）で表される第４級アンモニウム塩を０．１〜１重量％、および、水を含有する。
【００１８】
本発明の液状消臭剤の使用方法は特に限定されないが、たとえば１０００〜２０００ｍＬの溜まり水に対して添加し、原液に対して好ましくは約２０〜２００倍、より好ましくは３０〜１５０倍に希釈して使用する。
【００１９】
香料とは、消臭／芳香目的で配合される油溶性の成分であり、天然香料、合成香料、又はこれらの組み合わせのいずれであってもよく、単品香料又は調合香料のいずれであってもよい。たとえばメントール（異性体含む）、カンフル、メントン、カルボン、リモネン、αピネン、βピネン、３−オクタノール、メントフラン、シネオール、シトラール、ヌークケトン、γ−ウンデカラクトン、植物精油などが挙げられる。なかでも、消臭効果の点で、メントール、カンフルが好ましい。特にメントールを含有することが望ましく、香料中に５〜８０重量％、好ましくは１０〜７０重量％含有すると優れた消臭効果が得られる。また、メントールは香料中に含有されることに限られず、消臭剤中に別途配合されていても良く、両方に配合されていても良い。
【００２０】
香料の消臭剤中の含有量は、０．５〜２重量％であるが、１〜２重量％が好ましい。０．５重量％未満では、消臭効果が十分でない傾向となり、２重量％を超えると、可溶化に要する界面活性剤の量が多くなりすぎる傾向となる。
【００２１】
非イオン系界面活性剤とは、非イオン性の界面活性剤であって、たとえば、エーテル型（ポリオキシアルキレンアルキルエーテル、ポリオキシアルキレンアルキルアリルエーテル、ポリオキシアルキレンポリオキシプロピレングリコール）、エステル・エーテル型、エステル型（グリセリン脂肪酸エステル、ソルビタン脂肪酸エステル、ショ糖脂肪酸エステル）などが挙げられる。なかでも、本願発明の好適な効果達成の点で、エーテル型、エステル・エーテル型が好ましい。
【００２２】
非イオン系界面活性剤のＨＬＢは、とくに限定されないが、８〜２０が好ましく、１０〜２０がより好ましい。
【００２３】
エーテル型非イオン系界面活性剤のより具体的な具体例としては、ポリオキシアルキレントリデシルエーテル、ポリオキシエチレントリデシルエーテル、ポリオキシアルキレンアルキルエーテル、ポリオキシエチレンアルキルエーテル（ポリオキシエチレンラウリルエーテル）、ポリオキシエチレンアルキルアリルエーテル（ポリオキシエチレンスチリルフェニルエーテル）、ポリオキシエチレンポリプロピレングリコール、ポリオキシエチレンイソデシルエーテル、ポリオキシアルキレン分岐デシルエーテルなどが挙げられる。なかでも、保存安定性の点で、ポリオキシエチレンイソデシルエーテル、ポリオキシアルキレントリデシルエーテル、ポリオキシエチレンスチリルフェニルエーテルが好ましい。
【００２４】
エステル・エーテル型非イオン系界面活性剤のより具体的な具体例としては、ポリオキシエチレンソルビタン脂肪酸エステル、ポリオキシエチレングリセリン脂肪酸エステル、ポリオキシエチレンオレイン酸エステル、ポリオキシエチレンジステアリン酸エステル、ポリオキシエチレン硬化ヒマシ油、ポリオキシエチレンヤシ油脂肪酸ソルビタン、オレイン酸ポリオキシエチレングリセリル、イソステアリン酸ポリオキシエチレングリセリル、などが挙げられる。なかでも、水への分散性の点で、ポリオキシエチレンオレイン酸エステル、ポリオキシエチレン硬化ヒマシ油、ポリオキシエチレンヤシ油脂肪酸ソルビタンが好ましい。
【００２５】
非イオン系界面活性剤の消臭剤中の含有量は、１〜１０重量％であるが、２〜４重量％が好ましい。１重量％未満では、性状が不安定になる傾向があり、１０重量％を超えると同様の傾向となる。
【００２６】
非イオン系界面活性剤の使用時の含有量は特に限定されないが、香料１重量部に対して、好ましくは０．５〜２０重量部、より好ましくは１〜８重量部である。香料１重量部に対する比率が０．５重量部未満では、性状が不安定になる傾向があり、２０重量部を超える場合も同様の傾向がある。
【００２７】
第４級アンモニウム塩は、一般式（１）
【００２８】
【化３】
0006574664.tif 000004
【００２９】
（式中、Ｒ１〜Ｒ４は炭素数１〜１８のアルキル基であって、Ｒ１〜Ｒ４は同一であっても異なっていてもよい。Ｘ−は対イオンであり、ハロゲンイオンまたはヒドロキシイオンである。）で表されるものであって、通常、起泡のために使用されるカチオン性の界面活性剤である。一般式（１）で表される第４級アンモニウム塩としては、たとえばジデシルジメチルアンモニウムクロライド、ヘキサデシルトリメチルアンモニウムブロミド、テトラエチルアンモニウムブロミド、ステアリルトリメチルアンモニウムクロライド、ラウリルトリメチルアンモニウムクロライド、セチルトリメチルアンモニウムクロライド、ジステアリルジメチルアンモニウムクロライド等が挙げられる。なかでも、用いやすさの点で、ジデシルジメチルアンモニウムクロライドが好ましい。
【００３０】
第４級アンモニウム塩の消臭剤中の含有量は、０．１〜１重量％であるが、０．３〜１重量％が好ましい。０．１重量％未満では、泡切れが悪くなる傾向があり、１重量％を超えると、泡立ちが増加する傾向がある。
【００３１】
第４級アンモニウム塩の使用時の含有量は特に限定されないが、香料１重量部に対して、好ましくは０．０５〜２重量部、より好ましくは０．１５〜２重量部である。香料１重量部に対する比率が０．０５重量部未満では、泡切れが悪くなる傾向があり、２重量部を超えると、泡立ちが増加する傾向がある。
【００３２】
本発明の液状消臭剤は、水を含有する。水の含有量は、他の成分以外の残部であって、消臭剤中に７０〜９８．４重量％が好ましく、７１〜９７重量％がより好ましい。
【００３３】
本発明の液状消臭剤には、香料、非イオン系界面活性剤、第４級アンモニウム塩以外に、消臭剤として一般的に使用される成分も配合することができる。たとえば、溶剤（３−メトキシ−３−メチル−１−ブタノール等）、防腐剤（パラオキシ安息香酸エチル、パラオキシ安息香酸プロピル等）、安定化剤、増粘剤、ｐＨ調整剤、洗浄剤、殺菌剤、防汚剤、光沢剤、酸化防止剤（ジブチルヒドロキシトルエン等）などが挙げられる。
【００３４】
本発明の液状消臭剤は、ポータブルトイレに好適に適用される。ポータブルトイレとは、簡易な便器で構成され、部屋の中に設置されて据え置きされるものである。一般的に椅子様の形状を有し、座面部に排泄用の穴が形成されており、内部に排泄物を保持できる取り外し可能な容器を備えている。使用時には、当該容器内に水を張って用をたし、使用後に排泄物及び水をトイレに流して処理する。本発明の液状消臭剤は、基本的に排泄前に、容器内部に適用される。排泄時に、溜り水に泡が生じて残存することもないため、尿色や尿の泡立ちを確認することにより自らの健康状態を把握したいというポータブルトイレの使用者のニーズに答えることができる。
【実施例】
【００３５】
以下、実施例に基づいて本発明を具体的に説明するが、本発明はこれらのみに限定されるものではない。
【００３６】
以下、実施例および比較例で使用した配合成分について、説明する。
香料１：ｌ−メントール濃度１４重量％
香料２：ｌ−メントール濃度０重量％
非イオン系界面活性剤１：ポリオキシアルキレントリデシルエーテル（第一工業製薬株式会社製）
非イオン系界面活性剤２：ポリオキシエチレンスチリルフェニルエーテル（松本油脂製薬株式会社製）
非イオン系界面活性剤３：ポリオキシエチレンイソデシルエーテル（青木油脂工業株式会社製）
第４級アンモニウム塩１：ジデシルジメチルアンモニウムクロライド（第一工業製薬株式会社製「カチオーゲンＤＤＭ−ＰＧ」）
第４級アンモニウム塩２：塩化アルキルジメチルベンジルアンモニウム（日油株式会社製「カチオンＭ２−１００」）
陰イオン系界面活性剤：ジオクチルスルホコハク酸Ｎａ塩（松本油脂製薬株式会社製）
【００３７】
実施例１〜６および比較例１〜９
表１〜２に記載した成分を表１〜２に示した配合量で混合し、消臭剤を作製した。
【００３８】
＜可溶化、泡立ち、泡切れ評価試験＞
各消臭剤の可溶化の程度を、作製直後の性状をもとにして下記評価基準により評価した。各消臭剤１５ｍｌを５０ｍｌ容チューブに採取し、ボルテックスミキサー（サイエンティフィックインダストリーズ社製）の目盛りを１０にして５秒間処理した。処理終了直後の泡の高さを測定し、泡立ちを下記評価基準により評価した。また、処理終了直後から液面が見えるまでの時間を計測し、泡切れを下記評価基準により評価した。その結果を表１に示す。
【００３９】
（可溶化）
○：濁りのない一様の液状となる
×：濁りがある、または、分離する
【００４０】
（泡立ち）
◎：９ｍｍ以下
○：１０〜１４ｍｍ
△：１５〜１９ｍｍ
×：２０ｍｍ以上
【００４１】
（泡切れ）
○：３〜１０分
△：１１〜２０分
×：２１分以上
【００４２】
【表１】
0006574664.tif 000005
【００４３】
表１より、界面活性剤として非イオン系界面活性剤１、２を単独で使用した比較例１、２では、可溶化に優れ、泡立ちが少ないものの、泡切れが充分ではなかった。また、非イオン系界面活性剤３を単独で使用した比較例３では、可溶化には優れるものの、泡立ちが多く、泡切れも充分ではなかった。界面活性剤として第４級アンモニウム塩１を単独で使用した比較例７では可溶化すらしなかった。一方、非イオン系界面活性剤１〜３と第４級アンモニウム塩１を併用すると、実施例１〜３に示すように、比較例１〜３に比べて泡切れ改善効果が顕著に増大した。
【００４４】
また、界面活性剤として非イオン系界面活性剤１と陰イオン系界面活性剤を併用した比較例５では比較例１に比べて泡切れ改善効果が全く認められず、また、置換基に芳香環を有する第４級アンモニウム塩２を併用した比較例４でも、泡切れ改善効果が認められなかったことから、前述した泡切れ改善効果は非イオン系界面活性剤と特定の第４級アンモニウム塩を併用した場合に特異的に発揮されることがわかる。
【００４５】
また、実施例１と実施例４の比較から、香料の種類を変更した場合も、泡切れ改善効果は同様に発揮されることがわかる。
【００４６】
＜消臭試験＞
ポータブルトイレに水２０００ｍＬを溜め、各消臭剤１５ｍＬを添加した。ついで排尿し、排尿直後及び２４時間後のポータブルトイレ内の消臭効果を総合して、下記評価基準１により５段階評価した。パネラー５名の平均点を算出し、消臭効果を下記判定基準２により評価した。その結果を表２に示す。
判定基準１
５：良い
４：やや良い
３：どちらでもない
２：やや悪い
１：悪い
判定基準２
◎：合計点が２０以上２５以下
○：合計点が１５以上２０未満
△：合計点が１０以上１５未満
×：合計点が１０未満
【００４７】
【表２】
0006574664.tif 000006
【００４８】
表２より、香料を０．３重量％しか含有しない比較例９ではほとんど消臭効果が見られなかった。また、実施例１と実施例４の比較から、ｌ−メントールを含有する香料１を用いた場合に消臭効果がより優れるとの結果が得られた。
【００４９】
処方例１〜１６
本発明の液状消臭剤について、前述した実施例以外の処方例を、処方例１〜１６として以下に示す。なお、香料３、４、非イオン系界面活性剤については、以下の成分を使用した。
香料３：ｌ−メントール濃度１０重量％
香料４：ｌ−メントール濃度２０重量％
ポリオキシアルキレントリデシルエーテル：第一工業製薬株式会社製「ノイゲンＴＤＸ−５０」
ポリオキシエチレンスチリルフェニルエーテル：第一工業製薬株式会社製「ノイゲンＥＡ−１３７」
ポリオキシエチレンイソデシルエーテル：青木油脂工業株式会社製「ＳＡＦＥＴＹＣＵＴ  ＩＤ１０６１」
ポリオキシエチレン硬化ヒマシ油６０：日光ケミカルズ株式会社製「ニッコール  ＨＣＯ−６０」
【００５０】
【表３】
0006574664.tif 000007
【００５１】
得られた消臭剤について可溶化の程度、泡立ち、泡切れを評価したところ、いずれも可溶化に優れ、泡立ちが少なく、かつ、泡切れも良好であった。